(57)【要約】      （修正有）【課題】ワンプッシュのボタンにて、ベルトとバックルを解放させることができる衣料用ベルトを提供する。【解決手段】帯状のベルト本体と、該ベルト本体の一方の端部に設けられたバックルとを備えた衣服用ベルト具において、前記ベルト本体の他の一方の先端側の裏面に凹凸状の複数の係止部が連設され、前記バックルには、ベルト挿通部内に出没するように前記係止部に係合可能な係止片３が押下方向の抵抗力を有するように設けられ、当該係止片を押下して前記係止部と係止片が係合を解除するためのボタン４とを備えたことを特徴とする。【選択図】図４
0003232546.tif 000002
【実用新案登録請求の範囲】
【請求項１】
帯状のベルト本体と、該ベルト本体の一方の端部に設けられたバックルとを備えた衣服用ベルト具において、
前記ベルト本体の他の一方には、前記先端側の裏面に凹凸状の複数の係止部が連設され、
前記バックルには、ベルト挿通部内に出没するように前記係止部に係合可能な係止片が押下方向の抵抗力を有するように設けられ、当該係止片を押下して前記係止部と係止片が係合を解除するための当該ボタンとを備えたことを特徴とする衣服用ベルト具。
【請求項２】
前記係止片はL字状からなる２つの面を有する形状をして、前記係止部に係合する面とは別の可動機能面はバックルケースに収められており、且つ、スピリングからなる抵抗力が当該面とバックルケースの間に設けられており、定常状態でベルト挿通部内に出没し続けるものとし、
前記ボタンは１の棒状のものであり、ボタン操作部はバックルケース外部に配置され、他の部分はバックルケース内部に前記係止片の可動機能面と接触するよう設けられ、
前記ボタンをバックルケース内部方向に押し込むと前記係止片の可動機能面が前記スピリングからなる抵抗力に抗しながら可動して、それに伴い前記係止片がベルト挿通部からバックルケース内部方向に没入移動することを特徴とする請求項１記載の衣服用ベルト具。
【請求項３】
前記ボタンのボタン操作部の反対側にはこれとバックルケース内部の間に前記スピリングと別の第２のスピリングが設けられて、前記ボタンの押し込みに抵抗力を有することを特徴とする請求項１又は２記載の衣服用ベルト具。
【請求項４】
前記先端側の裏面に凹凸状の複数の係止部は、その頂点の高さが前記ベルト本体の裏面の平面以下で設けられて、
前記凹凸状は２以上の略直角三角柱からなり内２つの角度が８５度〜９５度の角度から選択される角度であり、他の１つが３５度〜５５度の角度から選択される角度であることを特徴とする請求項１乃至３記載のいずれかに記載の衣服用ベルト具。
【請求項５】
前記係止部に係合する係止片の先端の上部にはこれを覆うように略コの字状の定革部材がバックルケースに接続されてベルト挿通部を構成して、
当該定革部材はベルト保持機能とともに、ベルト利用者が前記係止片に触れることを防止するための安全機能とを有することを特徴とする請求項１乃至４記載のいずれかに記載の衣服用ベルト具。
【考案の詳細な説明】
【技術分野】
【０００１】
本考案は衣料用ベルトに関するものであって、容易に着用することができ、且つベルト本体の裏面に形成された凹凸及び対となる係止手段により、その長さを容易に調節及び係止することができる衣料用ベルトに関するものである。
【背景技術】
【０００２】
従来、この種の衣料用ベルトとしては、特開2020-141715 号公報に示されたものが知られている。ここでは、レバー（尾錠の先端部） を持ち上げて操作することによりベルト本体を係止させる部材 の爪 がバックル本体の上面から後退・没入して、バックルとベルトを解放するものである。
【先行技術文献】
【特許文献】
【０００３】
【特許文献１】特開2020-141715 号「衣料用ベルト」
【考案の概要】
【考案が解決しようとする課題】
【０００４】
しかし、バックルの尾錠を持ち上げてバックルとベルトを解放する場合には、ベルトの利用者の操作が大きいものとなり、その操作が目立つということのデメリット、ベルトの利用者の解放を意図していない時であっても、利用者の動きなどによってバックルとベルトを解放してしまうというデメリットが指摘されていた。
【課題を解決するための手段】
【０００５】
本考案がその技術的課題を解決するために用いる技術的手段としては、次のようなものである。
【０００６】
帯状のベルト本体と、該ベルト本体の一方の端部に設けられたバックルとを備えた衣服用ベルト具において、前記ベルト本体の他の一方には、前記先端側の裏面に凹凸状の複数の係止部が連設され、前記バックルには、ベルト挿通部内に出没するように前記係止部に係合可能な係止片が押下方向の抵抗力を有するように設けられ、当該係止片を押下して前記係止部と係止片が係合を解除するための当該ボタンとを備えたことを特徴とする衣服用ベルト具を提供するものである。
【０００７】
前記係止片はL字状からなる２つの面を有する形状をして、前記係止部に係合する面とは別の可動機能面はバックルケースに収められており、且つ、スピリングからなる抵抗力が当該面とバックルケースの間に設けられており、定常状態でベルト挿通部内に出没し続けるものとし、前記ボタンは１の棒状のものであり、ボタン操作部はバックルケース外部に配置され、他の部分はバックルケース内部に前記係止片の可動機能面と接触するよう設けられ、前記ボタンをバックルケース内部方向に押し込むと前記係止片の可動機能面が前記スピリングからなる抵抗力に抗しながら可動して、それに伴い前記係止片がベルト挿通部からバックルケース内部方向に没入移動する、ことを特徴としても良い。
【０００８】
前記ボタンのボタン操作部の反対側にはこれとバックルケース内部の間に前記スピリングと別の第２のスピリングが設けられて、前記ボタンの押し込みに抵抗力を有することを特徴としても良い。
【０００９】
前記先端側の裏面にある複数の凹凸状からなる係止部は、その頂点の高さが前記ベルト本体の裏面の面以下で設けられて、前記凹凸状は２以上の略直角三角柱からなり、内２つの角度が８５度〜９５度の角度から選択される角度であり、他の１つが３５度〜５５度の角度から選択される角度であることを特徴としても良い。
【００１０】
前記係止部に係合する係止片の先端の上部にはこれを覆うように略コの字状の定革部材がバックルケースに接続されてベルト挿通部を構成して、当該定革部材はベルト保持機能とともに、ベルト利用者が前記係止片に触れることを防止するための安全機能とを有することを特徴としても良い。
【００１１】
以下、添付図面及び実施例を組み合わせて本考案を更に説明する。
【図面の簡単な説明】
【００１２】
【図１】本考案のベルト用バックルの正面図。
【図２】本考案のベルト裏面の係止部を表す図
【図３】本考案のベルト用バックルとベルトが係合した状況を表す図
【図４】本考案のベルト用バックルの係止片が出没した状況を表す図
【図５】本考案のベルト用バックルの係止片が没入した状況を表す図
【考案を実施するための形態】
【００１３】
以下本考案を図面に基づいて説明する。本考案は、下記の実施例に限定されるものではない。図１ は、本考案のベルト用バックルを説明する正面図である。図１では、ベルト（１）がバックルに係合している状態を示す。通常のベルト用バックルのように尾鋲、定革があるのは同様であるが、ツク棒が無いためにそれを入れるための小穴も設けていない。
【００１４】
図１では、尾鋲にツク棒を保持するための凹部があるが、これはデザイン性の向上のためであり、本考案の構成には必須ではない。
【００１５】
本実施例では、定革（５）は金属製の変形できない堅いものがコの字状に構成されて、バックルケースに接続されトンネルを構成するように固定されている。この中をベルト（１）が貫通する。本実施例では、定革（５）は金属製の変形できない堅いものであるが、これに限定されない。
【００１６】
定革（５）が接続されている付近のバックルケースの側面に、ボタン（４）が設けられている。定常状態では、図１のようにボタンが外に向って出ている（出没）状態である。本実施例では、この状態を維持させるために、図示していないが、ボタンの操作部と反対側と、抵抗力を有するスプリングがバックルケースの内壁の間に設けられている。
【００１７】
ボタンの形状は、１の棒状のような形状をしている。本実施例では、丸棒の形状である。ボタン操作部では、ベルト利用者の操作性をよくするために、ボタンの棒状部よりも大きな半球上のものを接続させて、ベルト利用者の指先を傷めないなどの対策を講じている。
【００１８】
図２は、本考案のベルト裏面の係止部（２）を表すものである。係止部（２）は、ベルトの剣先付近に設けるものとして、ベルトの剣先から５ｃｍから２０ｃｍの付近から始まるものとして、係止部の横方向は５ｃｍから３０ｃｍの範囲で任意に設定しても良い。係止部の縦方向（幅）は、係止片の爪が収まれば良いので、係止片の爪の幅より若干広めに構成する。係止部の縦方向（幅）は、ベルトのラグ幅の半分程度で、概ね中心部に設ける。
【００１９】
係止部（２）の材質は、係止部と係止片の爪が係合できるように、堅い素材が望ましく、金属や硬化樹脂などが挙げられる。
【００２０】
係止部の形状は、ベルトの裏面の内側に凹状の形状があり、その中に略直角三角柱のものが一定間隔でその凹部内に設置している。この略直角三角柱の頂点部分は、ベルトの裏面の表面よりもやや低い位置としている。略直角三角柱の角度は、剣先方向の斜面と凹部の底面との角度が３５度〜５５または、３５度〜６５度の角度から選択される角度であり、バックル方面の他の１つが８５度〜９５度の角度から選択される角度とする。その断面（長軸方向）を見ると、複数の略直角三角形が一定間隔で一列に並んでいるものである。  
【００２１】
係止片の爪は、この係止部の略直角三角柱の角度に応じるような形状としており、３５度〜５５度の角度を有する斜面に対して、接触して係止片の爪を押し下げることができるように、前記斜面と対となるように斜面構造を有する（図４）。
【００２２】
図３は、図１のベルト（１）がバックルに係合している状態における裏側を表した図である。バックルケース（６）、ボタン（４）、係止部（２）を確認することができる。
【００２３】
尾鋲の裏面には、Tの字の補助支持部が設けられている。Tの字の補助支持部のうち、ベルト幅方向に平行に設けた部分は、その部分と尾鋲の間にベルトを貫通保持できる隙間を設けている。それ以外のTの字の補助支持部（ベルトの長軸方向と平行）は、尾鋲の構造を補強するためのものであり、任意である。
【００２４】
次に、バックルケース（６）に設けられたボタン（４）と係止片（３）について説明する。図４は、ボタンに押下負荷を与えていない定常状態を表す。この状態でボタンは外側に出ている状態で、ボタンの足が長く見える状況である。そして、係止片（３）はバックルケース（６）から外側に突出・出没していることが見られる。
【００２５】
係止片（３）の上部には、定革（５）がバックルケース（６）と接続された構成としている。実施例では、定革（５）は金属製の堅い素材で構成されており、ベルト使用者が係止片（３）に触れにくくする役割がある。また、ベルトが、定革（５）とバックルケース（６）の間に構成された穴に貫通して保持されるという役割もある。
【００２６】
図６は、ボタンに押下負荷を与えている状態を表す。ボタン（４）は、ベルト使用者が指などで押し込むものであるが、図６では、説明上、指などを表現していない。ボタンを押下負荷すると、これに応じて、係止片（３）がバックルケース（６）に没入する（図６）。当該係止片が押下して前記係止部と係止片が離れることで、その係合を解除して、ベルトの締め付けを緩和させる。
【００２７】
係止片はL字状からなる２つの面を有する形状をして、前記係止部に係合する面（係止片の爪に相当する）とは別の可動機能面はバックルケースに収められている。係止片の可動機能面は、スピリングからなる抵抗力が当該面とバックルケースの内側の間に設けられており、定常状態でベルト挿通部内に出没・突出し続ける（図示は無い）。
【００２８】
前記ボタン（４）は１の棒状のものであり、ボタン操作部はバックルケース外部に配置され、指で操作する部分と反対側の部分はバックルケース内部に前記係止片の可動機能面と接触するよう設けられ、前記ボタン（４）をバックルケース内部方向に押し込むと前記係止片の可動機能面が前記スピリングからなる抵抗力に抗しながら可動して、それに伴い前記係止片がベルト挿通部からバックルケース内部方向に没入移動する（図示は無い）。
【００２９】
前記ボタン（４）は、指で操作する部分から反対側の部分に向けて段々と太くなる構造とすることで、これが移動することにより、係止片の可動機能面を押し下げるものである（図示は無い）。
【００３０】
前記ボタン（４）のボタン操作部の反対側にはこれとバックルケース内部の間に前記スピリングと別の第２のスピリングが設けられて、前記ボタンの押し込みに抵抗力を有する。これにより、定常状態では、前記ボタンはバックルケース（６）の外側に出没しているものとなる。
【符号の説明】
【００３１】
１  ベルト
２  係止部
３  係止片
４  ボタン
５  定革
６  バックルケース
【図１】
0003232546.tif 000003
【図２】
0003232546.tif 000004
【図３】
0003232546.tif 000005
【図４】
0003232546.tif 000006
【図５】
0003232546.tif 000007
【手続補正書】
【提出日】令和3年3月30日(2021.3.30)
【手続補正１】
【補正対象書類名】明細書
【補正対象項目名】０００６
【補正方法】変更
【補正の内容】
【０００６】
帯状のベルト本体と、該ベルト本体の一方の端部に設けられたバックルとを備えた衣服用ベルト具において、前記ベルト本体の他の一方の先端側の裏面に凹凸状の複数の係止部が連設され、前記バックルには、ベルト挿通部内に出没するように前記係止部に係合可能な係止片が押下方向の抵抗力を有するように設けられ、当該係止片を押下して前記係止部と係止片が係合を解除するためのボタンとを備えたことを特徴とする衣服用ベルト具を提供するものである。
【手続補正２】
【補正対象書類名】明細書
【補正対象項目名】０００７
【補正方法】変更
【補正の内容】
【０００７】
前記係止片はL字状からなる２つの面を有する形状をして、前記係止部に係合する面とは別の可動機能面はバックルケースに収められており、且つ、スプリングからなる抵抗力が当該面とバックルケースの間に設けられており、定常状態でベルト挿通部内に出没し続けるものとし、前記ボタンは１の棒状のものであり、ボタン操作部はバックルケース外部に配置され、他の部分はバックルケース内部に前記係止片の可動機能面と接触するよう設けられ、前記ボタンをバックルケース内部方向に押し込むと前記係止片の可動機能面が前記スプリングからなる抵抗力に抗しながら可動して、それに伴い前記係止片がベルト挿通部からバックルケース内部方向に没入移動する、ことを特徴としても良い。
【手続補正３】
【補正対象書類名】明細書
【補正対象項目名】０００８
【補正方法】変更
【補正の内容】
【０００８】
前記ボタンのボタン操作部の反対側にはこれとバックルケース内部の間に前記スプリングと別の第２のスプリングが設けられて、前記ボタンの押し込みに抵抗力を有することを特徴としても良い。
【手続補正４】
【補正対象書類名】明細書
【補正対象項目名】０００９
【補正方法】変更
【補正の内容】
【０００９】
前記先端側の裏面の凹凸状の複数の係止部は、その頂点の高さが前記ベルト本体の裏面の平面以下で設けられて、前記凹凸状は２以上の略直角三角柱からなり、剣先方向の斜面とベルト裏面に複数の係止部が設けられた凹部の底面との角度が３５度〜５５度の角度から選択される角度であり、バックル方面の他の面とベルト裏面に複数の係止部が設けられた凹部の底面との角度が８５度〜９５度の角度から選択される角度であることを特徴としても良い。
【手続補正５】
【補正対象書類名】明細書
【補正対象項目名】００２７
【補正方法】変更
【補正の内容】
【００２７】
係止片はL字状からなる２つの面を有する形状をして、前記係止部に係合する面（係止片の爪に相当する）とは別の可動機能面はバックルケースに収められている。係止片の可動機能面は、スプリングからなる抵抗力が当該面とバックルケースの内側の間に設けられており、定常状態でベルト挿通部内に出没・突出し続ける（図示は無い）。
【手続補正６】
【補正対象書類名】明細書
【補正対象項目名】００２８
【補正方法】変更
【補正の内容】
【００２８】
前記ボタン（４）は１の棒状のものであり、ボタン操作部はバックルケース外部に配置され、指で操作する部分と反対側の部分はバックルケース内部に前記係止片の可動機能面と接触するよう設けられ、前記ボタン（４）をバックルケース内部方向に押し込むと前記係止片の可動機能面が前記スプリングからなる抵抗力に抗しながら可動して、それに伴い前記係止片がベルト挿通部からバックルケース内部方向に没入移動する（図示は無い）。
【手続補正７】
【補正対象書類名】明細書
【補正対象項目名】００３０
【補正方法】変更
【補正の内容】
【００３０】
前記ボタン（４）のボタン操作部の反対側にはこれとバックルケース内部の間に前記スプリングと別の第２のスプリングが設けられて、前記ボタンの押し込みに抵抗力を有する。これにより、定常状態では、前記ボタンはバックルケース（６）の外側に出没しているものとなる。
【手続補正８】
【補正対象書類名】実用新案登録請求の範囲
【補正対象項目名】全文
【補正方法】変更
【補正の内容】
【実用新案登録請求の範囲】
【請求項１】
帯状のベルト本体と、該ベルト本体の一方の端部に設けられたバックルとを備えた衣服用ベルト具において、
前記ベルト本体の他の一方の先端側の裏面に凹凸状の複数の係止部が連設され、前記バックルには、ベルト挿通部内に出没するように前記係止部に係合可能な係止片が押下方向の抵抗力を有するように設けられ、当該係止片を押下して前記係止部と係止片が係合を解除するためのボタンとを備えたことを特徴とする衣服用ベルト具。
【請求項２】
前記係止片はL字状からなる２つの面を有する形状をして、前記係止部に係合する面とは別の可動機能面はバックルケースに収められており、且つ、スプリングからなる抵抗力が当該面とバックルケースの間に設けられており、定常状態でベルト挿通部内に出没し続けるものとし、
前記ボタンは１の棒状のものであり、ボタン操作部はバックルケース外部に配置され、他の部分はバックルケース内部に前記係止片の可動機能面と接触するよう設けられ、前記ボタンをバックルケース内部方向に押し込むと前記係止片の可動機能面が前記スプリングからなる抵抗力に抗しながら可動して、それに伴い前記係止片がベルト挿通部からバックルケース内部方向に没入移動することを特徴とする請求項１記載の衣服用ベルト具。
【請求項３】
前記ボタンのボタン操作部の反対側にはこれとバックルケース内部の間に前記スプリングと別の第２のスプリングが設けられて、前記ボタンの押し込みに抵抗力を有することを特徴とする請求項２記載の衣服用ベルト具。
【請求項４】
前記先端側の裏面の凹凸状の複数の係止部は、その頂点の高さが前記ベルト本体の裏面の平面以下で設けられて、
前記凹凸状は２以上の略直角三角柱からなり、剣先方向の斜面とベルト裏面に複数の係止部が設けられた凹部の底面との角度が３５度〜５５度の角度から選択される角度であり、バックル方面の他の面とベルト裏面に複数の係止部が設けられた凹部の底面との角度が８５度〜９５度の角度から選択される角度であることを特徴とする請求項１乃至３記載のいずれかに記載の衣服用ベルト具。
【請求項５】
前記係止部に係合する係止片の先端の上部にはこれを覆うように略コの字状の定革部材がバックルケースに接続されてベルト挿通部を構成して、
当該定革部材はベルト保持機能とともに、ベルト利用者が前記係止片に触れることを防止するための安全機能とを有することを特徴とする請求項１乃至４記載のいずれかに記載の衣服用ベルト具。